(57)【要約】【課題】放送の受信感度が改善された放送受信システムおよび受信端末を提供する。【解決手段】放送受信システムは、第１の放送受信用アンテナＡＮＴＡを有する移動可能な第１の受信端末ＴＡと、第１の受信端末ＴＡと相互に無線通信が可能に構成され、第２の放送受信用アンテナＡＮＴＢを有する移動可能な第２の受信端末ＴＢとを備える。第１の受信端末ＴＡは、無線通信によって、第２の受信端末ＴＢから第２の放送受信用アンテナＡＮＴＢの受信結果を得て、第１の放送受信用アンテナＡＮＴＡの受信結果とともに用いてダイバーシチ合成し、放送を受信する。【選択図】図１
2014057151.tif 000002
【特許請求の範囲】
【請求項１】
放送受信システムであって、
第１の放送受信用アンテナを有する移動可能な第１の受信端末と、
前記第１の受信端末と相互に無線通信が可能に構成され、第２の放送受信用アンテナを有する移動可能な第２の受信端末とを備え、
前記第１の受信端末は、前記無線通信によって、前記第２の受信端末から前記第２の放送受信用アンテナの受信結果を得て、前記第１の放送受信用アンテナの受信結果とともに用いてダイバーシチ合成し、放送を受信する、放送受信システム。
【請求項２】
前記第１の受信端末は、
前記第１の放送受信用アンテナで受けた放送電波信号が入力される第１のチューナと、
前記第２の受信端末との間で無線通信を行なう第１の無線通信部と、
前記第１の無線通信部を経由して前記第２の受信端末から得た前記第２の放送受信用アンテナで受信した受信結果と、前記第１のチューナの出力とを用いてダイバーシチ合成する信号合成部と、
前記信号合成部の出力を音信号および映像信号の少なくとも一方に変換する第１のデータ処理部とを含み、
前記第２の受信端末は、
前記第２の放送受信用アンテナで受けた放送電波信号が入力される第２のチューナと、
前記第１の無線通信部との間で無線通信を行なう第２の無線通信部とを含む、請求項１に記載の放送受信システム。
【請求項３】
前記第１の受信端末は、
前記第１のチューナにチャンネル選択信号を送信するとともに、前記第１のチューナと同じチャンネルが選択されるように前記第１および第２の無線通信部を経由して前記第２のチューナにも制御信号を送信する制御部をさらに含む、請求項２に記載の放送受信システム。
【請求項４】
前記第２の受信端末は、
前記信号合成部の出力を前記第１および第２の無線通信部を経由して受けて、音信号または映像信号に変換する第２のデータ処理部をさらに含む、請求項２または３に記載の放送受信システム。
【請求項５】
移動可能な受信端末であって、
第１の放送受信用アンテナと、
前記第１の放送受信用アンテナで受けた放送電波信号が入力されるチューナと、
第２の放送受信用アンテナが搭載された他の受信端末との間で無線通信を行なう無線通信部と、
前記無線通信部を経由して前記他の受信端末から得た前記第２の放送受信用アンテナで受信した受信結果と、前記チューナの出力とを用いてダイバーシチ合成する信号合成部と、
前記信号合成部の出力を音信号および映像信号の少なくとも一方に変換するデータ処理部とを備える、受信端末。
【請求項６】
第１の放送受信用アンテナと、
前記第１の放送受信用アンテナで受けた放送電波信号が入力されるチューナと、
他の受信端末との間で無線通信を行なう無線通信部と、
前記他の受信端末から前記無線通信部を介して指示されたチャンネルを前記チューナに選択させ、前記チューナの出力を前記無線通信部を介して前記他の受信端末に送信させる制御部とを備える、受信端末。
【請求項７】
前記他の受信端末は、
第２の放送受信用アンテナと、
前記第２の放送受信用アンテナで受信した受信結果と、前記無線通信部を経由して得た前記チューナの出力とを用いてダイバーシチ合成する信号合成部とを含み、
前記受信端末は、
前記信号合成部の出力を前記無線通信部を経由して得て、音信号および映像信号の少なくとも一方に変換するデータ処理部をさらに備える、請求項６に記載の受信端末。
【発明の詳細な説明】
【技術分野】
【０００１】
この発明は、放送受信システムおよび受信端末に関し、特に複数の放送受信用アンテナを使用して放送を受信する放送受信システムおよび受信端末に関する。
【背景技術】
【０００２】
近年、携帯端末やパーソナルコンピュータ上で種々の放送が受信可能となっている。特開２０１１−１９３１６７号公報（特許文献１）は、このような放送を受信する情報送受信装置および情報配信システムの一例を開示する。
【先行技術文献】
【特許文献】
【０００３】
【特許文献１】特開２０１１−１９３１６７号公報
【発明の概要】
【発明が解決しようとする課題】
【０００４】
上記の情報配信システムは、パーソナルコンピュータは受信装置と通信媒体を介して通信する手段は備えているものの、ＴＳ（トランスポートストリーム）信号を他の端末に送信するものではない。
【０００５】
ところで、カーナビゲーションシステム等のように、移動しながら放送を受信する装置は、複数のアンテナやチューナを搭載し、ダイバーシチ（ダイバーシティ：ｄｉｖｅｒｓｉｔｙともいう）方式を使用して感度を向上させた製品が存在する。
【０００６】
携帯機器に複数のアンテナを搭載する場合、筐体が小さいため、アンテナ間の十分な距離を確保できずダイバーシチ効果が得られにくい。また複数のアンテナを搭載して、ダイバーシチ効果を得ようとすれば、筺体の体積も大きくなってしまう。外付けアンテナを利用することも考えられるが、外付けアンテナは、有線で接続しつつ、ある程度筺体と離して使う必要があるため、移動や屋外での利用には不向きであった。
【０００７】
また、複数のチューナを搭載する場合も、筐体が大きくなってしまったり、消費電力が増加したりするといった懸念がある。
【０００８】
この発明の目的は、放送の受信感度が改善された放送受信システムおよび受信端末を提供することである。
【課題を解決するための手段】
【０００９】
この発明は、要約すると、放送受信システムであって、第１の放送受信用アンテナを有する移動可能な第１の受信端末と、第１の受信端末と相互に無線通信が可能に構成され、第２の放送受信用アンテナを有する移動可能な第２の受信端末とを備える。第１の受信端末は、無線通信によって、第２の受信端末から第２の放送受信用アンテナの受信結果を得て、第１の放送受信用アンテナの受信結果とともに用いてダイバーシチ合成し、放送を受信する。
【００１０】
好ましくは、第１の受信端末は、第１の放送受信用アンテナで受けた放送電波信号が入力される第１のチューナと、第２の受信端末との間で無線通信を行なう第１の無線通信部と、第１の無線通信部を経由して第２の受信端末から得た第２の放送受信用アンテナで受信した受信結果と、第１のチューナの出力とを用いてダイバーシチ合成する信号合成部と、信号合成部の出力を音信号および映像信号の少なくとも一方に変換する第１のデータ処理部とを含む。第２の受信端末は、第２の放送受信用アンテナで受けた放送電波信号が入力される第２のチューナと、第１の無線通信部との間で無線通信を行なう第２の無線通信部とを含む。
【００１１】
より好ましくは、第１の受信端末は、第１のチューナにチャンネル選択信号を送信するとともに、第１のチューナと同じチャンネルが選択されるように第１および第２の無線通信部を経由して第２のチューナにも制御信号を送信する制御部をさらに含む。
【００１２】
より好ましくは、第２の受信端末は、信号合成部の出力を第１および第２の無線通信部を経由して受けて、音信号または映像信号に変換する第２のデータ処理部をさらに含む。
【００１３】
この発明は、他の局面では、移動可能な受信端末であって、第１の放送受信用アンテナと、第１の放送受信用アンテナで受けた放送電波信号が入力されるチューナと、第２の放送受信用アンテナが搭載された他の受信端末との間で無線通信を行なう無線通信部と、無線通信部を経由して他の受信端末から得た第２の放送受信用アンテナで受信した受信結果と、チューナの出力とを用いてダイバーシチ合成する信号合成部と、信号合成部の出力を音信号および映像信号の少なくとも一方に変換するデータ処理部とを備える。
【００１４】
この発明は、さらに他の局面では、受信端末であって、第１の放送受信用アンテナと、第１の放送受信用アンテナで受けた放送電波信号が入力されるチューナと、他の受信端末との間で無線通信を行なう無線通信部と、他の受信端末から無線通信部を介して指示されたチャンネルをチューナに選択させ、チューナの出力を無線通信部を介して他の受信端末に送信させる制御部とを備える。
【００１５】
好ましくは、他の受信端末は、第２の放送受信用アンテナと、第２の放送受信用アンテナで受信した受信結果と、無線通信部を経由して得たチューナの出力とを用いてダイバーシチ合成する信号合成部とを含む。受信端末は、信号合成部の出力を無線通信部を経由して得て、音信号および映像信号の少なくとも一方に変換するデータ処理部をさらに備える。
【発明の効果】
【００１６】
本発明によれば、他の端末のアンテナで受信した結果と自端末のアンテナで受信した結果とを用いてダイバーシチを実現するので、複数の端末で良好な映像や音を再生することが可能となる。
【図面の簡単な説明】
【００１７】
【図１】実施の形態１の放送受信システムの構成を示したブロック図である。
【図２】実施の形態１の放送受信システムでの表示例を示した図である。
【図３】端末ＴＡと端末ＴＢで独立した操作が可能である例について説明するための図である。
【図４】実施の形態２の放送受信システムの構成を示したブロック図である。
【図５】実施の形態２の放送受信システムでの表示例を示した図である。
【発明を実施するための形態】
【００１８】
以下において、本発明の実施の形態について図面を参照しながら詳細に説明する。なお、図中同一または相当部分には同一符号を付してその説明は繰返さない。
【００１９】
［実施の形態１］
図１は、実施の形態１の放送受信システムの構成を示したブロック図である。図１を参照して、実施の形態１の放送受信システムは、端末ＴＡおよびＴＢを含む。
【００２０】
個々の端末ＴＡ、ＴＢは各々１つのアンテナおよび１つのチューナしか搭載していない。しかし、端末間をＷＬＡＮ（ワイヤレスローカルエリアネットワーク）等の近距離無線通信で受信データを１台の端末ＴＡに集め、信号合成を行なうことによりダイバーシチを実現する。
【００２１】
従来のカーナビゲーション装置などではダイバーシチ合成を行なう製品はあるが、どれも１つの筺体内に複数のチューナを内蔵させて実現している。
【００２２】
これに対して、図１に示した放送受信システムは、端末ＴＡで合成した信号を、再び受信データを送ってもらった端末ＴＢに返すことにより、お互いに相互補完した受信データを用いて放送を表示することができる。
【００２３】
たとえば、２つの端末をそれぞれ所持しているユーザが隣どうしで座っていても、２つの端末のアンテナ間の距離は、肩幅以上の距離が確保できる。したがって、アンテナ間の距離を十分に確保することが可能となる。加えて、無線通信でやり取りを行なうため外付けアンテナを付ける場合のようにケーブル等の煩雑さもない。
【００２４】
また、個々の端末でデコード処理を行なうため、音量や端末の向き、ＢＭＬ操作などは端末ごとに独立して操作を行なうことができる。
【００２５】
図１を参照して、端末ＴＡは、アンテナＡＮＴＡと、チューナＡ１と、受信データ保持部Ａ２，Ａ４，Ａ６と、ＷＬＡＮ通信部Ａ３と、信号合成部Ａ５と、受信データ処理部Ａ７と、オーディオ出力部Ａ８と、表示部Ａ９と、制御部Ａ１０とを含む。
【００２６】
端末ＴＢは、アンテナＡＮＴＢと、チューナＢ１と、ワイヤレスＬＡＮ通信部Ｂ３と、受信データ保持部Ｂ６と、受信データ処理部Ｂ７と、オーディオ出力部Ｂ８と、表示部Ｂ９と、制御部Ｂ１０と、制御部Ｂ１１とを含む。
【００２７】
本実施の形態について、以下に各ブロック図の動作を説明する。端末ＴＡは、端末ＴＢを制御している。制御部Ａ１０は、チューナＡ１およびＢ１を制御する。このときチューナＢ１を制御するために端末ＴＢは、制御部Ａ１０の指示で動作する制御部Ｂ１１を含む。
【００２８】
端末ＴＡ，ＴＢで同じ放送局を受信し、チューナＡ１で受信したデータを受信データ保持部Ａ２に蓄積し、チューナＢ１で受信したデータをＷＬＡＮ通信部Ａ３，Ｂ３を経由して受信データ保持部Ａ４に蓄積する。チューナＡ１，Ｂ１の各々は、たとえばアンテナＡＮＴＡ，ＡＮＴＢでそれぞれ受信された放送電波信号をベースバンド信号に変換し、Ａ／Ｄ変換した後にＯＦＤＭ（orthogonal  frequency-division  multiplexing）復調し、その後誤り訂正処理が行なってからＴＳ（Ｔｒａｎｓｐｏｒｔ  Ｓｔｒｅａｍ）パケットに復元する処理を実行する。この状態のＴＳパケットは、映像パケット、音声パケットおよびデータ放送パケットを含む。
【００２９】
信号合成部Ａ５は、受信データ保持部Ａ２、Ａ４の中から対応するデータを読み出して信号合成し、受信データ保持部Ａ６に出力する。信号合成部Ａ５の信号合成処理は、受信データ保持部Ａ２、Ａ４の両方のデータを使用する場合もあるが、２つのデータからより良好に受信されたデータのみを選択する処理であっても良い。すなわち、信号合成部Ａ５は、通信の質や信頼性の向上を図るために、複数のアンテナで受信した同一の無線放送信号について、電波状況の優れたアンテナの信号を優先的に用いたり、受信した信号を合成してノイズを除去したりするダイバーシチ合成処理を実行する。
【００３０】
受信データ処理部Ａ７は、受信データ保持部Ａ６から読み出した受信データを映像・音声・データに分離しそれぞれデコード処理を行ない映像信号を表示部Ａ９に出力し、音信号をオーディオ出力部Ａ８に出力する。
【００３１】
制御部Ａ１０は、端末ＴＡのみについて、端末ＴＡのタッチパネル上に表示されたボタンや筺体に設けられた入力装置などからの入力に基づいて音量やＢＭＬ等の制御を行なうとともに、端末ＴＡの向きを検出して縦横切替など端末ＴＡの出力をコントロールする。
【００３２】
端末ＴＢは、端末ＴＡの受信データ保持部Ａ６から、端末ＴＡで用いられるデータと同じデータをＷＬＡＮ通信部Ａ３，Ｂ３を経由して受信し、受信データ保持部Ｂ６に蓄積する。受信データ処理部Ｂ７は、受信データ保持部Ｂ６からデータを読み出して、映像・音声・データに分離しそれぞれデコード処理を行なって、表示部Ｂ９に映像信号を出力し、オーディオ出力部Ｂ８に音信号を出力する。
【００３３】
制御部Ｂ１０は、端末ＴＢのみについて、端末ＴＢのキー入力から音量やデータ放送を記述したＢＭＬ（Ｂｒｏａｄｃａｓｔ  Ｍａｒｋｕｐ  Ｌａｎｇａｇｅ）の画面再生等の操作を行なうとともに、端末ＴＢの向きを検出して縦横切替など端末ＴＢの出力をコントロールする。
【００３４】
なお、図１のブロック図では端末ＴＡでのみチャネル切替ができるとして説明したが、制御部Ａ１０と制御部Ｂ１０間で通信をすることにより、端末ＴＢからでもチャネル切替可能に構成しても良い。
【００３５】
図２は、実施の形態１の放送受信システムでの表示例を示した図である。図１、図２を参照して、端末ＴＡは端末ＴＢのチューナを制御して同じ放送局の電波を受信させ、受信したデータを端末ＴＡにＷＬＡＮで送らせる。
【００３６】
端末ＴＡは端末ＴＢから受け取った受信データと自端末の受信データを合成し自端末で放送波を表示するとともに端末ＴＢにも音声、画像、データ放送用データを含んだＴＳパケットを送信する。
【００３７】
ＴＳパケットが送信されるので、端末ＴＢではチャネル切替以外の操作は端末ＴＡとは独立して操作可能である。
【００３８】
図３は、端末ＴＡと端末ＴＢで独立した操作が可能である例について説明するための図である。図３を参照して、合成した信号から得られた（たとえばＴＳパケット）を個々の端末でデコードするので、たとえば、それぞれの端末で事なる音量を設定したり、端末の向きを変えて表示部の一部領域にＢＭＬ表示を行なったりするなどの、独立した操作が可能である。
【００３９】
たとえば、端末ＴＡでは表示部Ａ９の全面に花の映像が表示され、音量が６に設定されている。一方で、端末ＴＢは、縦向きに配置され、表示部Ｂ９の上半分に花の映像が表示され、下半分にはデータ放送などＢＭＬで記述された画面が再生されているとともに、音量は１０に設定されている。
【００４０】
［実施の形態２］
図１に示したブロック図では端末ＴＡ，ＴＢの２台でのみの構成として記載したが、端末ＴＡには複数台の端末の接続が可能であり、端末の台数を増やすことによりさらなる受信性能の向上が期待できる。
【００４１】
図４は、実施の形態２の放送受信システムの構成を示したブロック図である。図４を参照して、実施の形態２の放送受信システムは、端末ＴＡ，ＴＢ，ＴＣ，ＴＤを含む。
【００４２】
個々の端末ＴＡ，ＴＢ，ＴＣ，ＴＤは各々１つのアンテナおよび１つのチューナしか搭載していない。しかし、端末間をＷＬＡＮ（ワイヤレスローカルエリアネットワーク）等の近距離無線通信で受信データを１台の端末ＴＡに集め、信号合成を行なうことによりダイバーシチを実現する。
【００４３】
端末の台数は、図４では４台であるが、さらに多くの端末を接続可能に構成しても良い。図４の端末ＴＡは、図１で説明した端末ＴＡの構成において、受信データ保持部Ａ４に代えて受信データ保持部Ａ４−１〜Ａ４−３を含む。
【００４４】
受信データ保持部Ａ４−１は、チューナＢ１が受信したデータをＷＬＡＮ通信部Ａ３，Ｂ３を経由して受け取り蓄積する。受信データ保持部Ａ４−２は、端末ＴＣのチューナが受信したデータを端末ＴＣのＷＬＡＮ通信部とＷＬＡＮ通信部Ａ３とを経由して受け取り蓄積する。受信データ保持部Ａ４−２は、端末ＴＤのチューナが受信したデータを端末ＴＣのＷＬＡＮ通信部とＷＬＡＮ通信部Ａ３とを経由して受け取り蓄積する。
【００４５】
信号合成部Ａ５は、受信データ保持部Ａ２、Ａ４−１〜Ａ４−３の中から対応するデータを読み出して信号合成し、受信データ保持部Ａ６に出力する。信号合成部Ａ５の信号合成処理は、受信データ保持部Ａ２、Ａ４−１〜Ａ４−３のうち複数のデータを使用する場合もあるが、４つのデータからより良好に受信されたデータのみを選択する処理であっても良い。すなわち、信号合成部Ａ５は、通信の質や信頼性の向上を図るために、複数のアンテナで受信した同一の無線放送信号について、電波状況の優れたアンテナの信号を優先的に用いたり、受信した信号を合成してノイズを除去したりするダイバーシチ合成処理を実行する。
【００４６】
端末ＴＡの他の部分の構成および端末ＴＢの構成は、図１で説明したので、ここでは説明は繰返さない。また端末ＴＣ，ＴＤの構成については、端末ＴＢと同様であるので説明は繰返さない。
【００４７】
図５は、実施の形態２の放送受信システムでの表示例を示した図である。図４、図５を参照して、端末ＴＡは端末ＴＢ，ＴＣ，ＴＤのチューナを制御して同じ放送局の電波を受信させ、受信したデータを端末ＴＡにＷＬＡＮで送らせる。
【００４８】
端末ＴＡは、端末ＴＢ，ＴＣ，ＴＤから受け取った受信データと自端末の受信データを合成し自端末で放送波を表示するとともに、端末ＴＢ，ＴＣ，ＴＤにも音声、画像、データ放送用データを含んだＴＳパケットを送信する。
【００４９】
ＴＳパケットが送信されるので、端末ＴＢ，ＴＣ，ＴＤの各々ではチャネル切替以外の操作は端末ＴＡとは独立して操作可能である。
【００５０】
たとえば、端末ＴＡでは表示部の全面に花の映像が表示されている。一方で、端末ＴＢは、縦向きに配置され、表示部Ｂ９の上半分に花の映像が表示され、下半分にはデータ放送などＢＭＬで記述された画面が再生されている。端末ＴＣ，ＴＤにおいても、同様な動作が可能である。
【００５１】
複数人がそれぞれ所持する複数の端末のチューナおよびアンテナを利用することにより、アンテナなどのハードウエアの追加なしに、携帯機器で十分にダイバーシチ効果を得ながら放送を受信できる。さらに、それぞれの端末では、視聴に必要な設定を独立して行なうことができる。接続台数が増えるとダイバーシチ効果も一層期待できる。
【００５２】
最後に、再び図１等を参照して、実施の形態１，２について総括する。実施の形態１，２の放送受信システムは、第１の放送受信用アンテナＡＮＴＡを有する移動可能な第１の受信端末ＴＡと、第１の受信端末ＴＡと相互に無線通信が可能に構成され、第２の放送受信用アンテナＡＮＴＢを有する移動可能な第２の受信端末ＴＢとを備える。第１の受信端末ＴＡは、無線通信によって、第２の受信端末ＴＢから第２の放送受信用アンテナＡＮＴＢの受信結果を得て、第１の放送受信用アンテナＡＮＴＡの受信結果とともに用いてダイバーシチ合成し、放送を受信する。
【００５３】
図１、図４に示すように、好ましくは、第１の受信端末ＴＡは、第１の放送受信用アンテナＡＮＴＡで受けた放送電波信号が入力される第１のチューナＡ１と、第２の受信端末ＴＢとの間で無線通信を行なう第１の無線通信部Ａ３と、第１の無線通信部Ａ３を経由して第２の受信端末ＴＢから得た第２の放送受信用アンテナＡＮＴＢで受信した受信結果と、第１のチューナＡ１の出力とを用いてダイバーシチ合成する信号合成部Ａ５と、信号合成部Ａ５の出力を音信号および映像信号の少なくとも一方に変換する第１のデータ処理部Ａ７とを含む。第２の受信端末ＴＢは、第２の放送受信用アンテナＡＮＴＢで受けた放送電波信号が入力される第２のチューナＢ１と、第１の無線通信部Ａ３との間で無線通信を行なう第２の無線通信部Ｂ３とを含む。
【００５４】
より好ましくは、第１の受信端末ＴＡは、第１のチューナＡ１にチャンネル選択信号を送信するとともに、第１のチューナＡ１と同じチャンネルが選択されるように第１および第２の無線通信部Ａ３，Ｂ３を経由して第２のチューナＢ１にも制御信号を送信する制御部Ａ１０をさらに含む。
【００５５】
より好ましくは、第２の受信端末ＴＢは、信号合成部の出力を第１および第２の無線通信部Ａ３，Ｂ３を経由して受けて、音信号または映像信号に変換する第２のデータ処理部Ｂ７をさらに含む。
【００５６】
この発明は、他の局面では、移動可能な受信端末ＴＡであって、第１の放送受信用アンテナＡＮＴＡと、第１の放送受信用アンテナＡＮＴＡで受けた放送電波信号が入力されるチューナＡ１と、第２の放送受信用アンテナＡＮＴＢが搭載された他の受信端末ＴＢとの間で無線通信を行なう無線通信部Ａ３と、無線通信部Ａ３を経由して他の受信端末ＴＢから得た第２の放送受信用アンテナＡＮＴＢで受信した受信結果と、チューナＡ１の出力とを用いてダイバーシチ合成する信号合成部Ａ５と、信号合成部Ａ５の出力を音信号および映像信号の少なくとも一方に変換するデータ処理部Ａ７とを備える。
【００５７】
この発明は、さらに他の局面では、受信端末ＴＢであって、第１の放送受信用アンテナＡＮＴＢと、第１の放送受信用アンテナＡＮＴＢで受けた放送電波信号が入力されるチューナＢ１と、他の受信端末ＴＡとの間で無線通信を行なう無線通信部Ｂ３と、他の受信端末から無線通信部Ｂ３を介して指示されたチャンネルをチューナＢ１に選択させ、チューナＢ１の出力を無線通信部Ｂ３を介して他の受信端末ＴＡに送信させる制御部Ｂ１１とを備える。
【００５８】
好ましくは、他の受信端末ＴＡは、第２の放送受信用アンテナＡＮＴＡと、第２の放送受信用アンテナＡＮＴＡで受信した受信結果と、無線通信部Ｂ３を経由して得たチューナＢ１の出力とを用いてダイバーシチ合成する信号合成部Ａ５とを含む。受信端末ＴＢは、信号合成部Ａ５の出力を無線通信部Ｂ３を経由して得て、音信号および映像信号の少なくとも一方に変換するデータ処理部Ｂ７をさらに備える。
【００５９】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【００６０】
Ａ１，Ｂ１  チューナ、Ａ２，Ａ４，Ａ４−１，Ａ４−２，Ａ４−３，Ａ６，Ｂ６  受信データ保持部、Ａ３，Ｂ３  無線通信部、Ａ５  信号合成部、Ａ７，Ｂ７  受信データ処理部、Ａ８，Ｂ８  オーディオ出力部、Ａ９，Ｂ９  表示部、Ａ１０，Ｂ１０，Ｂ１１  制御部、ＡＮＴＡ，ＡＮＴＢ  アンテナ、ＴＡ，ＴＢ，ＴＣ，ＴＤ  端末。
【図１】
2014057151.tif 000003
【図２】
2014057151.tif 000004
【図３】
2014057151.tif 000005
【図４】
2014057151.tif 000006
【図５】
2014057151.tif 000007